(57)【要約】【課題】  使用者が利用しやすい光学的文字認識装置を提供する。【解決手段】  光学的文字認識装置は、紙葉類を所定の搬送路にそって搬送する搬送手段と、上記搬送手段によって搬送される紙葉類の読取が求められる１面に対向する側に設けられた読取る読取手段と、上記読取手段において読取った紙葉類を集積する複数の集積庫と、上記集積庫に紙葉類の読取結果又は設定に応じて紙葉類を分配する分配手段と、光学的文字認識装置の設定及び上記読取結果に応じて読取手段において読取られた紙葉類を集積する集積庫の分配手段を備え、光学的文字認識装置の設定及び上記読取結果に応じて使用者に読取られた紙葉類の確認を必要とする場合に、使用者が利用しやすいような位置に設けられた集積庫に集積する分配機能を有する。【選択図】  図２
2009104465.tif 000002
【特許請求の範囲】
【請求項１】
紙葉類を所定の搬送路にそって搬送する搬送手段と、
上記搬送手段によって搬送される紙葉類の読取が求められる１面に対向する側に設けられ
た上記紙葉類の文字を読取る読取手段と、
上記読取手段で読取った紙葉類を集積する複数の集積庫と、
上記集積庫に紙葉類の読取結果又は設定に応じて紙葉類を分配する分配手段と、
光学的文字認識装置の設定及び上記読取結果に応じて読取手段において読取られた紙葉類
を集積する複数の集積庫と、
を備え、
光学的文字認識装置の設定及び上記読取結果に応じて使用者に読取られた紙葉類の確認を
必要とする場合に、複数の集積庫のうち使用者が利用しやすいような位置に設けられた集
積庫に集積する分配機能を有することを特徴とする光学的文字認識装置。
【請求項２】
上記集積庫近傍に、その集積庫に集積される紙葉類が使用者による確認が必要であるか否
かを示す表示パネルと
を有することを特徴とする請求項１に記載の光学的文字認識装置。
【発明の詳細な説明】
【技術分野】
【０００１】
本発明は、例えば紙葉類から記載情報を読み取る光学的文字認識装置に関する。
【背景技術】
【０００２】
従来、光学的文字認識装置として、所定の搬送路を介して紙葉類を搬送し、搬送中の紙
葉類を照明し、その反射光を光電変換して記載情報を読み取る光学的文字認識装置が知ら
れている。（例えば、特許文献１参照。）
【特許文献１】特開２００５−２５１２２９号公報  (第３貢、図１３)
【発明の開示】
【発明が解決しようとする課題】
【０００３】
上述した従来の装置では、読取に成功した紙葉類は装置の設定にかかわらず全て下側に
ある集積庫に集積されていたために、装置が紙葉類を一枚読取るごとに使用者が目視で確
認する設定であった場合でも下側に設けられた集積に紙葉類が集積され、使用者にとって
は紙葉類を取り出すたびに屈んだ姿勢をとらねばならず、使用者の負担が大きいことが課
題となっていた。
【０００４】
本発明は上記課題を解決するためになされたもので、使用者が利用しやすいよう読取設
定に集積庫の設定を対応させることができる光学的文字認識装置を提供することを目的と
する。
【課題を解決するための手段】
【０００５】
上記目的を達成するために、本発明による光学的文字認識装置は、紙葉類を所定の搬送
路にそって搬送する搬送手段と、上記搬送手段によって搬送される紙葉類の読取が求めら
れる１面に対向する側に設けられた読取る読取手段と、上記読取手段において読取った紙
葉類を集積する複数の集積庫と、上記集積庫に紙葉類の読取結果又は設定に応じて紙葉類
を分配する分配手段と、光学的文字認識装置の設定及び上記読取結果に応じて読取手段に
おいて読取られた紙葉類を集積する集積庫の分配手段と、を備え、光学的文字認識装置の
設定及び上記読取結果に応じて使用者に読取られた紙葉類の確認を必要とする場合に、使
用者が利用しやすいような位置に設けられた集積庫に集積する分配機能を有することを特
徴とする。
【発明の効果】
【０００６】
本発明は、使用者が利用しやすいよう読取設定に集積庫の設定を対応させることができ
る光学的文字認識装置を提供することを目的とする。
【発明を実施するための最良の形態】
【０００７】
以下、本発明による実施例について図面を参照しながら詳細に説明する。
【実施例１】
【０００８】
図１には、この発明の第１の実施の形態にかかる光学的文字認識装置１００の外観を示
す斜視図である。
【０００９】
この光学的文字認識装置１００上面には読取を行う前の紙葉類Ｃをセットするためのホ
ッパ１が設けられている。紙葉類Ｃはホッパ１から光学的文字認識装置１００内部に取り
込まれ、読取を行い、光学的文字認識装置１００の側面に上下２箇所に設けられた上部集
積庫２と下部集積庫３に集積される。
【００１０】
上部集積庫２は下部集積庫３より上側に設けられている。また上部集積庫２の取り出し
口は紙葉類Ｃの集積の有無を確認しやすいように後述する操作画面６近傍に設けられてい
る。
【００１１】
また上部集積庫２の紙葉類Ｃの取り出し口の右横には上部集積庫２の設定状態を示す上
部集積庫状態表示パネル４が設けられている。上部集積庫状態表示パネル４には、例えば
上部集積庫２が読取に失敗した紙葉類Ｃを集積する設定の場合には「異常スタッカ」と表
示される。また一度読取を行った紙葉類全てを使用者が目視で確認する為に１つの集積庫
に集積させる設定の場合には「確認スタッカ」と表示される。
【００１２】
下部集積庫３は読取に成功した紙葉類Ｃを集積するための集積庫である。下部集積庫３
は上部集積庫２より装置下方に設けられている。また下部集積庫３の取り出し口は光学的
文字認識装置１００の側面に設けられている。
【００１３】
また下部集積庫３の紙葉類Ｃの取り出し口の右側には下部集積庫３の状態を示す下部集
積庫状態表示パネル５が設けられている。下部集積庫状態表示パネル５には、例えば下部
集積庫３が読取に成功した紙葉類Ｃを集積する設定の場合には「正常スタッカ」と表示さ
れる。また一度読み取りを行った紙葉類Ｃ全てを使用者が目視で確認する為に１つの集積
庫に集積させる設定の場合には「停止中」と表示される。
【００１４】
また光学的文字認識装置１００の上面には光学的文字認識装置１００の設定の変更や操
作を行う操作画面６が設けられている。操作画面６は使用者が使用しやすいように、光学
的文字認識装置１００の上面に斜めに設けられている。
【００１５】
図２は光学的文字認識装置１００の断面図である。
【００１６】
ホッパ１の両壁には紙葉類Ｃを送出するためのピックアップローラ２１及び紙葉類Ｃを
押さえる為のバックアップ板２２が設けられている。バックアップ板２２によって紙葉類
Ｃを狭持し、ピックアップローラ２１が図中左方向に回転することにより紙葉類Ｃは鉛直
下方に送られる。送られた紙葉類Ｃは、ホッパ１の送出口近傍に設けられたリタードロー
ラ２３によって一枚のみに分離される。
【００１７】
リタードローラ２３によって分離された紙葉類Ｃはフィードローラ２４によって集積庫
１の下に設けられた搬送路２８まで送出される。送出された紙葉類Ｃは、搬送ローラ２５
によって読取部３０まで搬送される。
【００１８】
読取部３０は光源３１ａ、３１ｂとミラー３２と結像レンズ３３とラインセンサ３４で
構成されている。
【００１９】
搬送されてきた紙葉類Ｃの記載面を斜め上から照明するための光源３１ａと、斜め下方
から照明するための光源３１ｂが設けられている。ミラー３２は、この光源３１ａ、３１
ｂによって照明されて紙葉類Ｃの記載面から反射された反射光を所定方向、すなわち図３
中下方に反射された反射光を収束させる。結像レンズ３３は、ミラー３２によって反射さ
れた反射光を収束させ、そして収束された反射光をラインセンサ３４は受光する。ライン
センサ３４は、紙葉類Ｃの記載面のデータを読取り、電気信号を図示しない画像処理部４
９に出力する。画像処理部４９は電気信号を画像情報に変換し、その画像情報を図示しな
い光学文字認識部２０に出力する。光学文字認識部２０では予め定められたアルゴリズム
に従って画像処理部４９から出力された画像情報から文字を認識し、その結果を出力する
。
【００２０】
読取られた紙葉類Ｃは切替アーム２９に一旦収納される。そして設定状態に応じて切替
アーム２９に収納されている紙葉類Ｃはさらに下方向に搬送し、下部集積庫３へ落とし込
んで集積される、または上部集積庫３の上部までアームが揺動された後、上方に紙葉類Ｃ
を搬送し、羽根車３４と搬送ローラ２５で上部集積庫２へ集積される。
【００２１】
図３は光学的文字認識装置１００のブロック図を示したものである。
【００２２】
光学的文字認識装置制御部４０はインターフェイス部４１と、集積庫状態表示制御部４
２と、紙葉類読取制御部４３を制御する。
【００２３】
インターフェイス部４１は使用者が操作する操作画面６を制御する。
【００２４】
集積庫状態表示制御部４２は使用者に現在の集積庫の設定の状態を表示させるための上
部集積庫状態表示パネル４及び下部集積庫状態表示パネル５を制御する。
【００２５】
紙葉類読取制御部４３は、紙葉類Ｃを一枚ずつ光学的文字認識装置１００の中に取り入
れる紙葉類分離取込機構４４と、紙葉類Ｃを搬送する紙葉類搬送機構４５と、搬送されて
きた紙葉類Ｃを読取る読取部３０と、読取部３０から出力された画像情報を処理する画像
処理部４９と、画像処理部４９から出力された処理後の画像情報から文字を認識する光学
文字認識（ＯＣＲ）部２０と、読取った後の紙葉類Ｃを読取りに成功した紙葉類Ｃと、読
取りに失敗した紙葉類Ｃによって排出する集積庫を切り替える紙葉類集積切替機構４６と
、上部集積庫２に紙葉類Ｃを集積する紙葉類上部集積庫集積機構４７と、下部集積庫３に
紙葉類Ｃを集積する紙葉類下部集積庫集積機構４８と、を制御する。
【００２６】
図４は操作画面６を示した図である。
【００２７】
操作画面６には読取開始ボタン５１と、読取結果表示部５２と設定表示部５３と自動モ
ード選択ボタン５４と確認モード選択ボタン５５が設けられている。
【００２８】
読取開始ボタン５１は、集積庫１にセットした紙葉類Ｃの読取を開始させるボタンであ
る。
【００２９】
読取結果表示部５２には紙葉類Ｃの記載面の読取の結果が表示される。
【００３０】
自動モード選択ボタン５４を押下することにより、光学的文字認識装置１００の各々の
設定を後述する自動モードにすることが出来る。
【００３１】
確認モード選択ボタン５５を押下することにより、光学的文字認識装置１００の各々の
設定を後述する確認モードにすることが出来る。
【００３２】
設定表示部５３は現在の光学的文字認識装置１００の設定を確認することが出来る。設
定表示部５３には読取のモード（図中では確認モード）とそれに対応した下部集積庫３の
状態（図中では停止中）及び上部集積庫２の状態（図中では確認スタッカ）を表示する。
【００３３】
また読み取り表示部４３と読み取り結果表示部５２の間には修正ボタン５６及び確定ボ
タン５７が設けられている。これらのボタンは、例えば確認モードでは読み取りに失敗し
た紙葉類Ｃを改めて手入力するのに用いられる。確認モードでは、使用者は一枚の紙葉類
Ｃの読取が終了するごとに読取結果表示部５２に示された結果と上部集積庫に集積された
紙葉類Ｃとを目視で確認し、読取結果が正しければ確定ボタン５７を押して次の紙葉類の
読取を開始する。読取結果が誤っていれば、修正ボタン５６を押下することで記載入力画
面に切り替え、記載入力画面より手入力を行う。打ち込みを終了し、もとの画面（操作画
面６）に戻すと、打ち込んだ内容が読み取り結果表示部５２に表示される。その表示内容
で正しかった場合には確定ボタン５７を押下し、入力を完了する。入力内容が間違ってい
た場合には修正ボタン５６を押下することにより、再び記載内容入力画面に切り替わり、
再入力を行うことが可能である。
【００３４】
図５は自動モードを設定した際の集積庫設定及び表示処理設定のフローチャートである
。
【００３５】
操作画面６に表示された自動モード選択ボタン５４を押下すると（Ｓ３）、紙葉類Ｃの
読み取りが成功した場合には下部集積庫３に、紙葉類Ｃの読み取りに失敗した場合には上
部集積庫２に紙葉類Ｃが集積されるよう紙葉類集積切替機構４６が設定される（Ｓ４）。
【００３６】
次に操作画面６に設けられた設定表示部５３の表示処理が行われる。下部集積庫３の表
示は「正常スタッカ」、上部集積庫２の表示は「異常スタッカ」と表示される（Ｓ５）。
【００３７】
次に下部集積庫状態表示パネル５及び上部集積庫状態表示パネル４の画面設定の処理が
行われる。下部集積庫状態表示パネル５には「正常スタッカ」、上部集積庫状態表示パネ
ル４には「異常スタッカ」と表示される（Ｓ６）。
【００３８】
これで自動モードの設定が完了する。
【００３９】
図６は確認モードを設定した際の集積庫設定及び表示処理設定のフローチャートである
。
【００４０】
操作画面６に表示された確認モード選択ボタン５５を押下すると（Ｓ１３）、紙葉類Ｃ
の読み取りが成功した場合及び紙葉類Ｃの読み取りに失敗した場合どちらでも上部集積庫
２に紙葉類Ｃが集積されるように紙葉類集積切替機構４６が設定される（Ｓ１４）。
【００４１】
次に操作画面６に設けられた設定表示部５３の表示処理が行われる。下部集積庫３の表
示は「停止中」、上部集積庫３の表示は「確認スタッカ」と表示される（Ｓ１５）。
【００４２】
次に下部集積庫状態表示パネル５及び上部集積庫状態表示パネル４の画面設定の処理が
行われる。下部集積庫状態表示パネル５には「停止中」、上部集積庫状態表示パネル４に
は「確認スタッカ」と表示される（Ｓ１６）。
【００４３】
これで確認モードの設定が完了する。
【００４４】
次に、前記光学的文字認識装置１００の読取動作について、説明する。
【００４５】
図７は光学的文字認識装置１００の読取動作のフローチャートである。
【００４６】
まず初めに自動モードか確認モードかの選択を行う。自動モードで動作させる場合には
操作画面６より自動モード選択ボタン５４を、確認モードで動作させる場合には操作画面
６より確認モード選択ボタン５５を押す（Ｓ１）。
【００４７】
初めに自動モードを選択した場合の動作を説明する（Ｓ２、自動モード）。
【００４８】
まず、操作画面６より、自動モード選択ボタン５４が押されると、その指示が光学的文
字認識装置制御部４０に出力される。
【００４９】
指示を受けた光学的文字認識装置制御部４０は操作画面６に自動モード表示処理を、紙
葉類読取制御部４３に紙葉類下部集積庫集積機構４７及び紙葉類上部集積庫集積機構４８
の自動モード集積庫設定処理を、及び集積庫状態表示制御部４２に下部集積庫状態表示パ
ネル５及び上部集積庫状態上部集積庫状態表示パネルの自動モード表示処理を行うよう出
力する（Ｓ３）。
【００５０】
自動モードに設定された後、紙葉類Ｃをホッパ１に供給し、操作画面６に設けられた読
取開始ボタン５１を押す（Ｓ７）
するとホッパ１に収容された複数枚の紙葉類Ｃのうち図３中右側端部の紙葉類Ｃから順
にピックアップローラ２１によって取り出される。このとき、ホッパ１の図中左側に設け
られたバックアップ板２２によって紙葉類Ｃがピックアップローラ２１に押し付けられる
。ピックアップローラ２１によって取り出された紙葉類Ｃは、フィードローラ２４とリタ
ードローラ２３との間を通して送り出され、１枚ずつに分離されて搬送路２８上に供給さ
れる。
【００５１】
ホッパ１から供給された紙葉類Ｃは搬送ローラ２５を所定の方向に回転させることによ
り、搬送路２８を介して図３中下方に搬送される。このとき、紙葉類Ｃの搬送方向先端が
搬送ガイド板２８によって案内される。
【００５２】
紙葉類Ｃは搬送途中に読取部３０を通過する。紙葉類Ｃはその記載面が光源４５によっ
て照明され、その記載面で反射された反射光は、ミラー３２に導かれる。ミラー３２に導
かれた反射光はミラー４５での反射により略９０°折り曲げられた後、結像レンズ３３に
よって収束性が与えられ、ラインセンサ３４を介して受光される。ラインセンサ３４では
受光した反射光を光電変換して紙葉類Ｃのデータを読取る。ラインセンサ３４は画像処理
部４９に電気信号を出力する。
【００５３】
そして画像処理部４９はラインセンサ３４から出力された電気信号を画像情報に変えて
それを光学文字認識部２０に送り、光学文字認識部２０では予め定められたアルゴリズム
に従い画像情報から文字を認識する。
【００５４】
そして読取った結果は操作画面６に表示される（Ｓ８）。
【００５５】
読取部３０で光学文字認識を行っている間に紙葉類はさらに搬送ローラ２５によって下
方向に搬送され、切替アーム２９内に収納される。
【００５６】
次にステップＳ９にて読取が成功したか失敗したかによりどの集積庫に集積するかの判
定を紙葉類読取制御部４３が行う（Ｓ９）。
【００５７】
そして読取動作が成功したと判定された場合（Ｓ９、Ｙｅｓ）には、紙葉類下部集積庫
集積機構４７は切替アーム２９に収納されている紙葉類Ｃはさらに下方向に搬送し、下部
集積庫３へ落とし込んで集積する（Ｓ１０）。
【００５８】
一方読取動作が失敗したと判定された場合には、紙葉類上部集積庫集積機構４８が機能
し、切替アーム２９は読み取りに失敗した紙葉類Ｃを収納した状態で、上部集積庫３の下
方まで揺動した後、羽根車３４と搬送ローラ２５で上方に紙葉類を搬送し、上部集積庫２
へ集積する（Ｓ１１）。
【００５９】
１枚の紙葉類Ｃの読み取りが終了したら、次に搬送されてきた紙葉類Ｃがある場合（Ｓ
１２、Ｙｅｓ）は続けてその紙葉類Ｃを読み取りを続けて行う（Ｓ８）。次に紙葉類Ｃが
搬送されてこない場合（Ｓ１２、Ｎｏ）には、光学的文字認識装置１００の動作が終了す
る。
【００６０】
次に、確認モードを選択した場合の動作を説明する（Ｓ２、確認モード）。
【００６１】
まず、操作画面６より、確認モード選択ボタン５５が押されると、その指示が光学的文
字認識装置制御部４０に出力される。
【００６２】
指示を受けた光学的文字認識装置制御部４０は操作画面６に確認モード表示処理を、紙
葉類読取制御部４３に紙葉類下部集積庫集積機構４７及び紙葉類上部集積庫集積機構４８
の確認モード集積庫設定処理を、及び集積庫状態表示制御部４２に下部集積庫状態表示パ
ネル５及び上部集積庫状態表示パネル４の確認モード表示処理を行うよう出力する（Ｓ１
３）。
【００６３】
確認モードに設定された後、紙葉類Ｃをホッパ１に供給し、操作画面６に設けられた読
取開始ボタン５１を押す（Ｓ１７）
するとホッパ１に収容された複数枚の紙葉類Ｃのうち図２中右側端部の紙葉類Ｃから順
にピックアップローラ２１によって取り出される。このとき、ホッパ１の図中左側に設け
られたバックアップ板２２によって紙葉類Ｃがピックアップローラ２１に押し付けられる
。ピックアップローラ２１によって取り出された紙葉類Ｃは、フィードローラ２４とリタ
ードローラ２３との間を通して送り出され、１枚ずつに分離されて搬送路２８上に供給さ
れる。
【００６４】
ホッパ１から供給された紙葉類Ｃは搬送ローラ２５を所定の方向に回転させることによ
り、搬送路２８を介して図２中下方に搬送される。
【００６５】
紙葉類Ｃは搬送途中に読取部３０を通過する。紙葉類Ｃはその記載面が光源３１ａ及び
３１ｂによって照明され、その記載面で反射された反射光は、ミラー３２に導かれる。ミ
ラー３２に導かれた反射光はミラー３２での反射により略９０°折り曲げられた後、結像
レンズ３３によって収束性が与えられ、ラインセンサ３４を介して受光される。ラインセ
ンサ３４では受光した反射光を光電変換して紙葉類Ｃのデータを読取る。ラインセンサ３
４は画像処理部４９に電気信号を出力する。
【００６６】
そして画像処理部４９はラインセンサ３４から出力された電気信号を画像情報に変えて
それを光学文字認識部２０に送り、光学文字認識部２０では予め定められたアルゴリズム
に従い画像情報から文字を認識する。
【００６７】
そして読取った結果は操作画面６に表示される（Ｓ１８）。
【００６８】
読取部３０で光学文字認識を行っている間に紙葉類はさらに搬送ローラ２５によって下
方向に搬送され、切替アーム２９内に収納される。
【００６９】
収納された紙葉類Ｃには紙葉類上部集積庫集積機構４７が機能し、切替アーム２９は紙
葉類Ｃを収納した状態で、上部集積庫３の下部まで揺動した後、上方に紙葉類Ｃを搬送し
、羽根車３４と搬送ローラ２５で上部集積庫２へ集積する（Ｓ１９）。
【００７０】
使用者は一枚の紙葉類Ｃの読取が終了するごとに読取結果表示部５２に示された結果と
上部集積庫に集積された紙葉類Ｃとを目視で確認し、読取結果が正しければ確定ボタン５
７を押して次の紙葉類の読取を開始する。読取結果が誤っていれば、修正ボタン５６を押
下することで記載入力画面に切り替え、記載入力画面より手入力を行う。打ち込みを終了
し、もとの画面（操作画面６）に戻すと、打ち込んだ内容が読み取り結果表示部５２に表
示される。その表示内容で正しかった場合には確定ボタン５７を押下し、入力を完了する
。入力内容が間違っていた場合には修正ボタン５６を押下することにより、再び記載内容
入力画面に切り替わり、再入力を行う（Ｓ２０）。
【００７１】
１枚の紙葉類Ｃの読み取りが終了したら、次に搬送されてきた紙葉類Ｃがある場合はそ
の紙葉類Ｃを読み取る（Ｓ２１、Ｙｅｓ）。次に紙葉類Ｃが搬送されてこない場合には、
光学的文字認識装置１００の動作を終了させる（Ｓ２１、Ｎｏ）。
【００７２】
以上のような実施例によると、光学的文字認識装置１００が自動で紙葉類Ｃの記載
情報の読取りの成功及び失敗を判断する自動モードなら搬送路が最短である下部集積庫３
に読取りに成功した紙葉類Ｃを集積させ、失敗した紙葉類Ｃのみを上部に設けられた上部
集積庫２に集積することにより処理時間を短くすることが出来る。
【００７３】
また光学的文字認識装置１００で読取った紙葉類Ｃの記載情報を人が目視で確認する確
認モードでは、光学文字認識に成功した紙葉類Ｃを操作者が集積庫から取り出しやすい上
部に設けられた集積庫に集積することで使用者の操作性を良くすることができる。
【００７４】
また操作画面６や集積庫近傍に設けられた上部集積庫状態表示パネル４及び下部集積庫
状態表示パネル５に集積庫の設定状態を表示するために、モードによって集積庫の設定が
異なっても使用者が間違えることはない。
【図面の簡単な説明】
【００７５】
【図１】本発明による光学的文字認識装置１００の外観を示す斜視図。
【図２】本発明による光学的文字認識装置１００の断面図。
【図３】本発明による光学的文字認識装置１００のブロック図。
【図４】本発明による操作画面６の操作画面を示した図。
【図５】自動モードを設定した際の集積庫設定及び表示処理設定のフローチャート図。
【図６】確認モードを設定した際の集積庫設定及び表示処理設定のフローチャート図。
【図７】光学的文字認識装置１００の読取動作のフローチャート図。
【符号の説明】
【００７６】
１  ホッパ
２  下部集積庫
３  上部集積庫
４  上部集積庫状態表示パネル
５  下部集積庫状態表示パネル
６  操作画面
４６  紙葉類集積切替機構
４７  紙葉類下部集積庫集積機構
４８  紙葉類上部集積庫集積機構
１００  光学的文字認識装置
【図１】
2009104465.tif 000003
【図２】
2009104465.tif 000004
【図３】
2009104465.tif 000005
【図４】
2009104465.tif 000006
【図５】
2009104465.tif 000007
【図６】
2009104465.tif 000008
【図７】
2009104465.tif 000009